【手続補正書】
【提出日】平成15年10月15日(2003.10.15)
【手続補正１】
【補正対象書類名】明細書
【補正対象項目名】特許請求の範囲
【補正方法】変更
【補正の内容】
【特許請求の範囲】
【請求項１】
コンドームが、内面および外面を有する管状壁を有し、かつ、巻かれて弾力のあるヘムリングにされ、前記ヘムリングが、コンドームの初期形体において、入口開口を規定し、かつ、管状壁の外側に形成される、勃起した陰茎にコンドームを装着するためのコンドーム装着器具であって、
前記コンドーム装着器具が、一緒に内部空間を規定する第１および第２のコンドーム支持構造体を備え、前記内部空間から、勃起した陰茎が突き出ることができ、前記支持構造体が、分離軸を規定し、かつ、前記分離軸に対して実質的に垂直な方向に分離することができ、前記支持構造体のそれぞれが、少なくとも１つのフック状保持構造体を規定し、前記フック状保持構造体が、コンドームの入口開口内に張り出し、かつ、コンドームの管状壁の内面に隣接して配置されるような配置でもって、前記フック状保持構造体内に、コンドームのヘムリングを収容することができ、前記フック状保持構造体のそれぞれが、湾曲した輪郭を有し、使用する際、コンドームを繰り出して装着するために支持構造体が陰茎の軸に沿って移動するときに、コンドームのヘムリングを繰り出すのを可能にするような配置でもって、コンドームのヘムリングを前記フック状保持構造体内に収容および保持することができ、前記フック状保持構造体のそれぞれが、凸状に湾曲したコンドーム接触面を規定し、前記コンドーム接触面は、コンドームの管状壁の内面と接触し、かつ、コンドームのヘムリングの丸みのある形状に合致し、前記支持構造体のそれぞれが、少なくとも１つの拘束構造体を規定し、前記拘束構造体は、支持構造体上に配置されて、コンドームのヘムリングがフック状構造体から遠ざかる方向へ動かないようにし、それによって、使用する際、コンドームを繰り出しているときに、コンドームのヘムリングが保持構造体から外れるのを阻止する、コンドーム装着器具。
【請求項２】
支持構造体のそれぞれが、分離して離間配置された一対のフック状保持構造体を規定する、請求項１に記載のコンドーム装着器具。
【請求項３】
フック状保持構造体のそれぞれが、平面図で見た場合、前記保持構造体の中心線に沿って延びるフック軸を規定し、前記フック軸は、前記凸状に湾曲したコンドーム接触面の頂点を通って延び、かつ、前記頂点に接する接線に対して垂直に延び、前記フック軸は、平面図で見た場合、分離軸と４５°の角度をなす、請求項２に記載のコンドーム装着器具。
【請求項４】
コンドーム支持構造体のそれぞれが、前記フック状構造体を規定する本体部分とフラップ状ハンドル部分とを規定し、前記フラップ状ハンドル部分は、本体部分から張り出し、かつ、コンドームを装着するときに、本体部分を操作するためにユーザが掴むことができる、請求項１から３のいずれか一項に記載のコンドーム装着器具。
【請求項５】
コンドーム支持構造体のそれぞれが、本体部分とハンドル部分との間にヒンジを有し、それによって、ハンドル部分が本体部分に対してヒンジ式に動くことができる、請求項４に記載のコンドーム装着器具。
【請求項６】
コンドーム装着器具が、変形可能な材料からなり、それぞれのコンドーム支持構造体のヒンジが、本体部分とハンドル部分との間に規定されたくびれの形態を有し、前記くびれは、本体部分に対してハンドル部分を曲げるのを十分に可能にするものである、請求項５に記載のコンドーム装着器具。
【請求項７】
コンドーム装着器具が、ヘムリングから遠隔にあるコンドーム端部に乳頭部を有するコンドームに使用するようになされたものであり、コンドーム装着器具は、２つの端部を有するストリップを含み、前記ストリップは、使用する際に、乳頭部に空気が入り込むのを防止ために、乳頭部がストリップによって折り重ねられた状態に維持されるような配置でもって、ストリップの端部をコンドーム支持構造体に接続され、コンドーム支持構造体間に張り渡され、かつ、コンドーム支持構造体上に保持されたコンドームを覆うようにして延び、前記ストリップは、強度の弱い部分を有し、前記強度の弱い部分は、使用する際に支持構造体が分離されたとき、その部分が引き裂かれるのを可能にする、請求項１から６のいずれか一項に記載のコンドーム装着器具。
【請求項８】
コンドーム装着器具と包装との集合体であって、
コンドームであり、内面および外面を有する管状壁を有し、かつ、巻かれて弾力のあるヘムリングにされ、前記ヘムリングが、コンドームの初期形体において、入口開口を規定し、かつ、管状壁の外側に形成された、コンドームと、
勃起した陰茎にコンドームを装着するためのコンドーム装着器具であり、前記コンドーム装着器具が、一緒に内部空間を規定する第１および第２のコンドーム支持構造体を備え、前記内部空間から、勃起した陰茎が突き出ることができ、前記支持構造体が、分離軸を規定し、かつ、前記分離軸に対して実質的に垂直な方向に分離することができ、前記支持構造体のそれぞれが、少なくとも１つのフック状保持構造体を規定し、前記フック状保持構造体が、コンドームの入口開口内に張り出し、かつ、コンドームの管状壁の内面に隣接して配置されるような配置でもって、前記フック状保持構造体内に、コンドームのヘムリングが、収容および保持され、前記フック状保持構造体のそれぞれが、湾曲した輪郭を有し、使用する際、コンドームを繰り出して装着するために支持構造体が陰茎の軸に沿って移動するときに、コンドームのヘムリングを繰り出すのを可能にするような配置でもって、コンドームのヘムリングが、前記フック状保持構造体内に収容および保持され、前記フック状保持構造体のそれぞれが、凸状に湾曲したコンドーム接触面を規定し、前記コンドーム接触面は、コンドームの管状壁の内面と接触し、かつ、ヘムリングの丸みのある形状に合致し、前記支持構造体のそれぞれが、少なくとも１つの拘束構造体を規定し、前記拘束構造体は、支持構造体上に配置されて、コンドームのヘムリングがフック状構造体から遠ざかる方向へ動かないようにし、それによって、使用する際、コンドームを繰り出す初期の段階において、コンドームのヘムリングが保持構造体から外れるのを阻止する、前記コンドーム装着器具と、
包装用フィルムからなるパウチの形態を有する包装であり、前記包装内には、コンドームと、支持構造体の少なくともフック状保持構造体および拘束構造体とが含まれ、前記包装は、２つのパウチ半体を含み、前記２つのパウチ半体は、それらの間に強度の弱い線を規定し、前記線は、使用する際に支持構造体を分離可能な分離軸に位置を合わせられ、前記強度の弱い線は、使用する際に、支持構造体をお互いに分離するとき、前記強度の弱い線に沿って包装を引き裂くのを可能にする、前記包装と、
を備えたコンドーム装着器具と包装との集合体。
【請求項９】
コンドーム装着器具の支持構造体のそれぞれが、分離して離間配置された一対のフック状保持構造体を規定する、請求項８に記載のコンドーム装着器具と包装との集合体。
【請求項１０】
フック状保持構造体のそれぞれが、平面図で見た場合、前記保持構造体の中心線に沿って延びるフック軸を規定し、前記フック軸は、前記凸状に湾曲したコンドーム接触面の頂点を通って延び、かつ、前記頂点に接する接線に対して垂直に延び、前記フック軸は、平面図で見た場合、分離軸と４５°の角度をなす、請求項９に記載のコンドーム装着器具と包装との集合体。
【請求項１１】
コンドーム装着器具が、ヘムリングから遠隔にあるコンドーム端部に乳頭部を有するコンドームに使用するようになされたものであり、コンドーム装着器具は、２つの端部を有するストリップを含み、前記ストリップは、使用する際に、乳頭部に空気が入り込むのを防止ために、乳頭部がストリップによって折り重ねられた状態に維持されるような配置でもって、ストリップの端部をコンドーム支持構造体に接続され、コンドーム支持構造体間に張り渡され、かつ、コンドーム支持構造体上に保持されたコンドームを覆うようにして延び、前記ストリップは、強度の弱い部分を有し、前記強度の弱い部分は、使用する際に支持構造体が分離されたとき、その部分が引き裂かれるのを可能にする、請求項８から１０のいずれか一項に記載のコンドーム装着器具と包装との集合体。
【請求項１２】
コンドーム装着器具のコンドーム支持構造体のそれぞれが、前記フック状構造体を規定する本体部分とフラップ状ハンドル部分とを規定し、前記フラップ状ハンドル部分は、本体部分から張り出し、かつ、コンドームを装着するときに、本体部分を操作するためにユーザが掴むことができる、請求項８から１１のいずれか一項に記載のコンドーム装着器具と包装との集合体。
【請求項１３】
コンドーム支持構造体のそれぞれが、本体部分とハンドル部分との間にヒンジを有し、それによって、ハンドル部分が本体部分に対してヒンジ式に動くことができる、請求項１２に記載のコンドーム装着器具と包装との集合体。
【請求項１４】
コンドーム装着器具が、変形可能な材料からなり、それぞれのコンドーム支持構造体のヒンジが、本体部分とハンドル部分との間に規定されたくびれの形態を有し、前記くびれは、本体部分に対してハンドル部分を曲げるのを十分に可能にするものである、請求項１３に記載のコンドーム装着器具と包装との集合体。
【請求項１５】
包装用フィルムが、密閉された状態で支持構造体の本体部分に取り付けられ、それによって、フック状保持構造体、コンドーム、および、拘束構造体を取り囲む密封包装容器を形成し、支持構造体のハンドル部分が、包装用フィルムの外部へ張り出し、使用する際に、ハンドル構造体を操作することができる、請求項１２から１４のいずれか一項に記載のコンドーム装着器具と包装との集合体。
【請求項１６】
包装用フィルムが、支持構造体の本体部分間に緊張して架け渡され、ハンドル部分を操作することによって、本体部分をそれらの内端を支点にしてお互いに対して動かすことができ、それによって、包装用フィルムの内面に作用するように内端をお互いに対して上かまたは下へ動かすことができ、その結果として、包装用フィルムの内面に、包装用フィルムの前記強度の弱い線を引き裂くのに十分な力を加えることができるような配置でもって、本体部分の作用内端が、前記分離軸に沿ってお互いに接触する、請求項１２から１５のいずれか一項に記載のコンドーム装着器具と包装との集合体。